(57)【特許請求の範囲】
【請求項１】
パネル基材の上面にヒータ線と配線部とが設置され、パネル基材の裏面をシート材で覆うようにした床暖房パネルにおいて、パネル基材の裏面のうち配線部と対応する裏面部分が自己消火性を有するシート材で覆われ、自己消化性を有するシート材が、水酸化アルミニウム紙とポリプロピレン樹脂層とを積層して構成されると共に水酸化アルミニウム紙の表面に接着剤が塗布され、上記自己消化性を有するシート材で覆われていない残りの裏面部分がクラフト紙で覆われ、上記自己消化性を有するシート材が上記接着剤にてパネル基材の裏面部分に貼着されていると共に、上記クラフト紙が上記接着剤と同一の接着剤にてパネル基材の裏面部分に貼着されていることを特徴とする床暖房パネル。
【請求項２】
上記積層構造の自己消化性を有するシート材の断面形状を反り防止のための凹凸状に形成したことを特徴とする請求項１記載の床暖房パネル。
【発明の詳細な説明】
【０００１】
【発明の属する技術分野】
本発明は、床暖房パネルに関し、詳しくは配線部の発熱対策に有効な裏面シートの構造に関するものである。
【０００２】
【従来の技術】
従来より、パネル基材の上面にヒータ線とコネクタとが設置され、パネル基材の裏面をシート材で覆うようにした床暖房パネルが知られている。このシート材はコネクタのある配線部の接触不良等による発火のおそれをなくすために、パネル基材の裏面に貼着されるものであり、その品質において難燃性能（自己消火性能）が必要であり、従来では、自己消火性を有するシート材をパネル基材の裏面全面に亘って接着するようにしている。
【０００３】
【発明が解決しようとする課題】
ところが、自己消火性を有するシート材は一般に高価であり、またこれを接着する接着剤も高価であり、そのために従来のようにパネル基材の裏面全面に亘って自己消火性を有するシート材を接着するような場合にあっては、コスト高を招くという問題があった。
【０００４】
本発明は上記の点に鑑みてなされたものであり、その目的とするところは、自己消火性を有するシート材及びその接着剤のコスト削減を図ることができる安価な床暖房パネルを提供するにあり、また別の目的とするところは、自己消火性を有するシート材の難燃性能アップに加えて強度アップを図ることができる床暖房パネルを提供するにあり、さらに別の目的とするところは、２層構造のシート材の反りを簡単に防止でき、組み立て工程を楽に行えるようにした床暖房パネルを提供するにある。
【０００５】
【課題を解決するための手段】
上記課題を解決するために、本発明はパネル基材２の上面にヒータ線３と配線部４とが設置され、パネル基材２の裏面をシート材で覆うようにした床暖房パネルにおいて、パネル基材２の裏面のうち配線部４と対応する裏面部分２ａが自己消火性を有するシート材８で覆われ、自己消化性を有するシート材８が、水酸化アルミニウム紙８ａとポリプロピレン樹脂層８ｂとを積層して構成されると共に水酸化アルミニウム紙８ａの表面に接着剤１０が塗布され、上記自己消化性を有するシート材８で覆われていない残りの裏面部分２ｂがクラフト紙９で覆われ、上記自己消化性を有するシート材８が上記接着剤１０にてパネル基材２の裏面部分２ａに貼着されていると共に、上記クラフト紙９が上記接着剤１０と同一の接着剤にてパネル基材２の裏面部分２ｂに貼着されていることを特徴としており、このように構成することで、配線部４と対応する裏面部分２ａにおいては自己消火性を有するシート材８によって配線部４の接触不良等による発火のおそれをなくすことができ、また残りの裏面部分２ｂには自己消化性のない比較的安価なクラフト紙９ａを貼着することによって、材料コストを削減できると共に、上記シート材８，クラフト紙９ａを同一の接着剤にてパネル基材２の裏面部分２ａ，２ｂに貼着することによって、接着剤のコスト削減を図ることができる。また上記自己消化性を有するシート材８が、水酸化アルミニウム紙８ａとポリプロピレン樹脂層８ｂとを積層して構成されているので、水酸化アルミニウム紙８ａにより難燃性能がアップし、且つ、強度が弱い水酸化アルミニウム紙８ａにポリプロピレン樹脂層８ｂを積層することで水酸化アルミニウム紙８ａの強度アップを図ることができる。
【０００６】
また、上記積層構造の自己消火性を有するシート材８の断面形状を反り防止のための凹凸状に形成するのが好ましく、この場合、シート材８を水酸化アルミニウム紙８ａとポリプロピレン樹脂層８ｂとの２層構造としても、断面を凹凸形状にすることで、反りの発生を防止できるようになる。
【０００７】
【発明の実施の形態】
以下、本発明の実施の形態を説明すると、床暖房パネル１は、図１、図２に示すように、例えば厚さ８．１ｍｍのロックウールボード１１と合板枠材２０とからなるパネル基材２の表面にはヒータ線３とコネクタ５とが設置され、さらにその上面には、アルミ箔１２を介して、例えば厚さ３．７ｍｍの表層材１３が積層されている。一方、パネル基材２の裏面のうち配線部４と対応する裏面部分２ａは自己消火性を有するシート材８で覆われ、残りの裏面部分２ｂは自己消火性のないシート材９で覆われており、これら両シート材８，９が同一の接着剤にてパネル基材２の裏面部分２ａ，２ｂにそれぞれ貼着されるようになっている。
【０００８】
上記パネル基材２は例えば平面視長方形状に形成され、その長手方向の一端部側の上面にコネクタ５を収納するコネクタ収納溝７が形成されており、残りの上面部分にはヒータ線３を収納するヒータ線収納溝６が形成されている。ヒーター線３の接続端部はコネクタ収納溝７内に収納されるコネクタ５を介して外部電源側に電気的に接続される。そして、ヒータ線収納溝６にヒータ線３を収納した状態で、ヒータ線３の上面全体がアルミ箔１２で覆われるようになっており、このアルミ箔１２によりヒータ線３から表層板への熱伝導の均一化が図られている。図１中の１４は過昇温防止装置、１５は過昇温防止装置１４の収納凹所である。
【０００９】
ここで、自己消火性を有するシート材８としては、図３に示すように、水酸化アルミニウム紙８ａの片面にＰＰ（ポリプロピレン樹脂）層（以下、「ＰＰ層８ｂ」という。）をラミネートした不燃シートからなり、その大きさはコネクタ５のある配線部４の裏面部分２ａを覆うことができる大きさを有しており、この水酸化アルミニウム紙８ａの表面（ＰＰ層８ｂとは反対側の面）に接着剤１０を塗布して、パネル基材２の裏面部分２ａに接着されるものである。
【００１０】
一方、パネル基材２の裏面部分２ｂに貼着される自己消火性のないシート材９としては、例えば一般の厚さ０．２ｍｍのクラフト紙９ａが用いられる。このクラフト紙９ａは、クラフト紙用の接着剤、例えば酢酸ビニル系の接着剤を用いてパネル基材２の裏面部分２ａに接着されている。酢酸ビニル系の接着剤は、前記水酸化アルミニウム紙８ａの接着にも適しており、この酢酸ビニル系の接着剤を用いてクラフト紙９ａと水酸化アルミニウム紙８ａの両方がパネル基材２の裏面部分２ａ，２ｂにそれぞれ貼着されている。
【００１１】
しかして、パネル基材２の裏面のうち、配線部４と対応する裏面部分２ａのみに自己消火性を有する水酸化アルミニウム紙８ａを接着し、残りの大部分には一般に安価なクラフト紙９ａを貼着してあるので、水酸化アルミニウム紙８ａの難燃性能によってコネクタ５のある配線部４の接触不良等による発火のおそれをなくすことができる。従って、従来のようにパネル基材２の裏面全面に高価な不燃シートを貼着しなくて済むので、材料コストの削減を図ることができる。
【００１２】
また、本実施形態では、不燃紙としての水酸化アルミニウム紙８ａはＰＰ層８ｂをラミネートした２層構造となっているので、水酸化アルミニウム紙８ａによる難燃性能のアップに加えて、強度が弱い水酸化アルミニウム紙８ａをＰＰ層８ｂによって強度アップが図られるようになる。しかもこの水酸化アルミニウム紙８ａはクラフト紙用の酢酸ビニル系の接着剤で接着可能であるので、同一の接着剤にてクラフト紙９ａと水酸化アルミニウム紙８ａとをパネル基材２の裏面部分２ａ，２ｂにそれぞれ貼着可能となり、接着剤のコスト削減を図ることができ、一層の低コスト化を実現できる。
【００１３】
図４は、ＰＰ層８ｂと水酸化アルミニウム紙８ａとの２層構造のシート材８にエンボス加工を施した場合を示している。図４（ａ）は加工前を示し、（ｂ）は水酸化アルミニウム紙８ａ側から型押した状態を示しており、これにより２層構造のシート材８の断面形状が凹凸状となり、反り防止に効果的となる。つまり、シート材８を２層構造にすることで反りが発生しやすくなっても、断面形状を凹凸状にすることで反りの発生を防止することができ、これにより床暖房パネル１の組み立て工程が楽に行えるようになる。なお、エンボス加工に限らず、例えばミシン目を付けたり、テープを貼ったりして凹凸を付けるようにしてもよいものである。
【００１４】
【発明の効果】
上記のように本発明のうち請求項１記載の発明は、パネル基材の上面にヒータ線と配線部とが設置され、パネル基材の裏面をシート材で覆うようにした床暖房パネルにおいて、パネル基材の裏面のうち配線部と対応する裏面部分が自己消火性を有するシート材で覆われ、自己消化性を有するシート材が、水酸化アルミニウム紙とポリプロピレン樹脂層とを積層して構成されると共に水酸化アルミニウム紙の表面に接着剤が塗布され、上記自己消化性を有するシート材で覆われていない残りの裏面部分がクラフト紙で覆われ、上記自己消化性を有するシート材が上記接着剤にてパネル基材の裏面部分に貼着されていると共に、上記クラフト紙が上記接着剤と同一の接着剤にてパネル基材の裏面部分に貼着されているから、配線部と対応する裏面部分においては自己消火性を有するシート材によって配線部の接触不良等による発火のおそれをなくすことができ、また残りの裏面部分には自己消化性のない比較的安価なクラフト紙を貼着することによって、従来のようにパネル基材の裏面全面に高価な消化性を有するシート材を貼着した場合と比較して材料コストを削減できる。さらに、上記シート材、クラフト紙を同一の接着剤にてパネル基材の裏面部分に貼着したことによって、従来のような高価な接着剤を用いずに、比較的安価な接着剤にてシート材、クラフト紙を貼着できるようになり、一層の低コスト化を実現できる。また、自己消化性を有するシート材が、水酸化アルミニウム紙とポリプロピレン樹脂層とを積層して構成されているから、水酸化アルミニウム紙により難燃性能がアップし、且つ、強度が弱い水酸化アルミニウム紙にポリプロピレン樹脂層を積層することで水酸化アルミニウム紙の強度アップを図ることができる。また水酸化アルミニウム紙は例えばクラフト紙用の酢酸ビニル系接着剤にて接着可能であるので、接着剤のコスト削減にも有効である。
【００１５】
また請求項２記載の発明は、請求項１記載の効果に加えて、積層構造の自己消火性を有するシート材の断面形状を反り防止のための凹凸状に形成したから、シート材を水酸化アルミニウム紙とポリプロピレン樹脂層との２層構造としても、断面を凹凸形状にすることで、反りが発生するのを防止でき、これにより床暖房パネルの組み立て工程を楽に行えるようになる。
【図面の簡単な説明】
【図１】  本発明の実施形態の一例を示す分解斜視図である。
【図２】  同上の配線部付近の断面図である。
【図３】  同上の自己消火性を有するシート材の断面図である。
【図４】  （ａ）は同上のシート材にエンボス加工を施す前の断面形状の説明図、（ｂ）は加工後の断面形状の説明図である。
【符号の説明】
１  床暖房パネル
２  パネル基材
２ａ，２ｂ  裏面部分
３  ヒータ線
４  配線部
８  自己消火性を有するシート材
８ａ  水酸化アルミニウム紙
８ｂ  ポリプロピレン樹脂層
９  クラフト紙
【図１】
0003755305.tif 000002
【図２】
0003755305.tif 000003
【図３】
0003755305.tif 000004
【図４】
0003755305.tif 000005